【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
印刷装置であって、
複数のシート格納手段と、
前記シート格納手段に格納されているシートの紙種を記憶する記憶手段と、
紙種の指定をユーザから受け付ける受付手段と、
前記記憶手段が記憶している情報と、前記印刷装置において印刷中の印刷ジョブで使用するシートの紙種と、前記印刷装置において印刷待ちの印刷ジョブで使用するシートの紙種とに基づいて、前記受付手段が受け付けた紙種のシートを格納すべきシート格納手段を前記複数のシート格納手段の中から選択する選択手段と、
前記受付手段が受け付けた紙種のシートを前記選択手段によって選択されたシート格納手段に格納するようにユーザに通知する通知手段とを備えることを特徴とする印刷装置。
【請求項２】
前記選択手段は、シートの残量が少ないシート格納手段を、前記受付手段が受け付けた紙種のシートを格納すべきシート格納手段として選択することを特徴とする請求項１に記載の印刷装置。
【請求項３】
前記選択手段は、前記印刷装置において印刷中の印刷ジョブで使用するシートが格納されているシート格納手段とは異なるシート格納手段を、前記受付手段が受け付けた紙種のシートを格納すべきシート格納手段として選択することを特徴とする請求項１又は２に記載の印刷装置。
【請求項４】
前記選択手段は、前記印刷装置において印刷中の印刷ジョブで使用するシートが格納されているシート格納手段とは異なり、かつ、前記印刷装置において印刷待ちの印刷ジョブで使用するシートが格納されているシート格納手段とは異なるシート格納手段を、前記受付手段が受け付けた紙種のシートを格納すべきシート格納手段として選択することを特徴とする請求項１又は２に記載の印刷装置。
【請求項５】
前記受付手段が受け付けた紙種が紙なしエラーが発生している紙種である場合に、前記選択手段は、紙なしエラーが発生しているシート格納手段を、前記受付手段が受け付けた紙種のシートを格納すべきシート格納手段として選択することを特徴とする請求項１乃至４のいずれか１項に記載の印刷装置。
【請求項６】
前記受付手段が受け付けた紙種のシートが前記複数のシート格納手段のいずれかに格納されている場合、前記選択手段は、前記受付手段が受け付けた紙種のシートが格納されているシート格納手段を、前記受付手段が受け付けた紙種のシートを格納すべきシート格納手段として選択することを特徴とする請求項１乃至５のいずれか１項に記載の印刷装置。
【請求項７】
複数のシート格納手段と、記憶手段を備える印刷装置の制御方法であって、
前記シート格納手段に格納されているシートの紙種を前記記憶手段に記憶する記憶工程と、
紙種の指定をユーザから受け付ける受付工程と、
前記記憶手段が記憶している情報と、前記印刷装置において印刷中の印刷ジョブで使用するシートの紙種と、前記印刷装置において印刷待ちの印刷ジョブで使用するシートの紙種とに基づいて、前記受付工程において受け付けた紙種のシートを格納すべきシート格納手段を前記複数のシート格納手段の中から選択する選択工程と、
前記受付工程において受け付けた紙種のシートを前記選択工程において選択されたシート格納手段に格納するようにユーザに通知する通知工程とを備えることを特徴とする印刷装置の制御方法。
【請求項８】
請求項７に記載の印刷装置の制御方法をコンピュータにより実行させるためのプログラム。
【手続補正２】
【補正対象書類名】明細書
【補正対象項目名】発明の名称
【補正方法】変更
【補正の内容】
【発明の名称】印刷装置、印刷装置の制御方法及びプログラム
【手続補正３】
【補正対象書類名】明細書
【補正対象項目名】０００１
【補正方法】変更
【補正の内容】
【０００１】
本発明は、情報処理装置から受信する印刷ジョブを処理して印刷装置がシート収納部より給紙するシートに印刷処理を行う印刷装置、印刷装置の制御方法及びプログラムに関するものである。
【手続補正４】
【補正対象書類名】明細書
【補正対象項目名】０００９
【補正方法】変更
【補正の内容】
【０００９】
印刷装置であって、複数のシート格納手段と、前記シート格納手段に格納されているシートの紙種を記憶する記憶手段と、紙種の指定をユーザから受け付ける受付手段と、前記記憶手段が記憶している情報と、前記印刷装置において印刷中の印刷ジョブで使用するシートの紙種と、前記印刷装置において印刷待ちの印刷ジョブで使用するシートの紙種とに基づいて、前記受付手段が受け付けた紙種のシートを格納すべきシート格納手段を前記複数のシート格納手段の中から選択する選択手段と、前記受付手段が受け付けた紙種のシートを前記選択手段によって選択されたシート格納手段に格納するようにユーザに通知する通知手段とを備えることを特徴とする。
【手続補正５】
【補正対象書類名】明細書
【補正対象項目名】００４２
【補正方法】変更
【補正の内容】
【００４２】
図６において、ＣＰＵ回路部６０５はＣＰＵ６０６を有し、ＲＯＭ６０７に格納されているプログラムをＲＡＭ６０８上で実行することによって、次に示す各制御部をコントロールする。ここで、制御部とは、原稿給送装置制御部６０１、イメージリーダ制御部６０２、画像信号制御部６０３、プリンタ制御部６０４、外部給紙装置制御部６０９、スタッカ制御部６１０、ＨＤＤ  Ｉ／Ｆ部６１１、ネットワークＩ／Ｆ部６１２、操作部６１４である。
【手続補正６】
【補正対象書類名】明細書
【補正対象項目名】００５８
【補正方法】変更
【補正の内容】
【００５８】
図９は、トレイに格納されるシートの種類をユーザが確認するための画面であり、印刷装置１０１の操作部６１４に表示される。９０２には、印刷装置１０１の外観図と、印刷装置１０１が備える給紙トレイが表示される。ボタン９０３〜９０９は印刷装置１０１が備える給紙トレイを示し、それぞれ給紙トレイ４１７、外部給紙装置２０２の給紙トレイ３０１、給紙トレイ３０２、給紙トレイ３０３、外部給紙装置２０２の３つの給紙トレイに対応する。なお、外部給紙装置が増えた場合など、印刷装置１０１の給紙トレイの数に変更があれば、その都度９０２に表示される内容が変更される。ボタン９０３〜９０９には、各給紙トレイには、それぞれ１種類のシートが対応付けられている。この対応付けは、印刷装置１０１のＨＤＤ６１３などに記憶される。
【手続補正７】
【補正対象書類名】明細書
【補正対象項目名】００６７
【補正方法】変更
【補正の内容】
【００６７】
図１１の画面において、ユーザが「Ａ４  普通紙」の残量が０枚になる前に補給したいと考えるとする。このとき、ユーザは１１０２で「Ａ４  普通紙」を選択し、そしてボタン１１０１をタッチすれば良い。詳細は後述の図１３〜１５のフローチャートを用いて説明するが、ＣＰＵ６０６はユーザが「Ａ４  普通紙」を補給する適切な給紙トレイを決定するための決定処理を実行し、決定処理によって決定した給紙トレイに「Ａ４  普通紙」を補給するようにユーザに通知する。
【手続補正８】
【補正対象書類名】明細書
【補正対象項目名】００９４
【補正方法】変更
【補正の内容】
【００９４】
次にステップＳ１５０３について説明する。ステップＳ１５０３において、ＣＰＵ６０６は指定シートが実行待ちの印刷ジョブで使用されるシートであるか否かを判定する。図１１を例に説明すると、指定シートがＪｏｂ２、Ｊｏｂ３、Ｊｏｂ４のいずれかで使用されるシートであれば、ステップＳ１５０３において指定シートが実行待ちの印刷ジョブで使用されるシートであるとＣＰＵ６０６が判定し、ステップＳ１５０４に進む。一方、指定シートがＪｏｂ２、Ｊｏｂ３、Ｊｏｂ４のいずれにも使用されないシートであれば、ステップＳ１５０３において指定シートが実行待ちの印刷ジョブで使用されるシートではないとＣＰＵ６０６が判定し、ステップＳ１５０７に進む。